(57)【特許請求の範囲】
【請求項１】
警備システムであって、
屋内の異常を検知できる異常検知部と、
前記屋内に配され、前記異常検知部の稼動および停止を制御できる制御部と、
前記制御部と通信できるとともに前記制御部に前記異常検知部の稼動および停止を指示できる指示部と、を備え、
前記異常検知部は、人物が前記屋内に入った場合、あらかじめ設定された第１の設定時間を経過した後、前記人物による前記屋内での滞在を異常として検知し、
前記指示部は、前記指示部における振動を検知する振動検知部を有し、前記振動検知部が振動を検知したのち、前記第１の設定時間より長い第２の設定時間が経過したときに満たされる第１の条件が満たされない場合、稼動している前記異常検知部を停止させるよう前記制御部に指示することができない、警備システム。
【請求項２】
請求項１に記載の警備システムであって、
前記第１の条件は、前記振動検知部が振動を検知してから前記第２の設定時間経過することである、警備システム。
【請求項３】
請求項１に記載の警備システムであって、
前記第１の条件は、前記第２の設定時間、前記振動検知部が継続して振動を検知することである、警備システム。
【請求項４】
請求項１に記載の警備システムであって、
前記第１の条件は、前記第２の設定時間、前記振動検知部が継続して振動を検知することによって前記指示部が前記制御部へ出力した振動検知信号に対して出力される応答信号を、前記指示部が受信することを含む、警備システム。
【請求項５】
請求項１に記載の警備システムであって、
前記第１の条件は、前記第２の設定時間、前記振動検知部が継続して振動を検知することによって前記指示部が前記制御部へ出力した振動検知信号の強さが閾値を超えている場合に前記振動検知信号に対して出力される応答信号を、前記指示部が受信することを含む、警備システム。
【請求項６】
請求項１から請求項５までのいずれか一項に記載の警備システムであって、
前記指示部は、前記第１の条件が満たされてから稼動している前記異常検知部を停止させるよう前記制御部に指示したのち、稼動している前記異常検知部を停止させるよう前記制御部に指示することができない状態に戻る、警備システム。
【請求項７】
請求項１から請求項６までのいずれか一項に記載の警備システムであって、
前記指示部は、前記第１の条件が満たされてから、あらかじめ設定された第３の設定時間を経過した際に前記振動検知部が振動を検知していない場合、稼動している前記異常検知部を停止させるよう前記制御部に指示することができない状態に戻る、警備システム。
【請求項８】
請求項１から請求項７までのいずれか一項に記載の警備システムであって、
前記指示部は、さらに、
前記指示部が停止している前記異常検知部を稼動させるよう前記制御部に指示してからあらかじめ設定された第４の設定時間を経過していないことである第２の条件が満たされない場合にも、稼動している前記異常検知部を停止させるよう前記制御部に指示することができない、警備システム。
【発明の詳細な説明】
【技術分野】
【０００１】
本発明は、警備システムに関する。
【背景技術】
【０００２】
警備システムには、住居等の家屋に設置されることによって屋内への不法な侵入者を検出するものが広く知られている。このような警備システムは、不法な侵入者を警戒する警戒モードと、警戒モードを解除された通常モードとを切り換える。
【先行技術文献】
【特許文献】
【０００３】
【特許文献１】特開２００６−１１９３０号公報
【発明の概要】
【発明が解決しようとする課題】
【０００４】
特許文献１には、ユーザ（住居等の家屋における居住者）の操作に応じて、警戒モードと通常モードの切り換えが可能な警備システムが記載されている。特許文献１のような切り換えをリモコンによって行うことができる態様においては、この警備システムが設置された家屋に同居する居住者が複数であることを考慮して、複数のリモコンを備えたものがある。そのような警備システムでは、例えば、家屋に同居する居住者全員が揃って外出する際にリモコンをひとつだけ持って外出する場合、または、家屋に同居する居住者全員が別々にリモコンを持って外出する場合などに、外出先に持っていかれなかったリモコンが留守になった屋内に残される。そのような場合において、屋内に侵入した侵入者が屋内に残されたリモコンを操作することによって、警戒モードを解除することができるという課題があった。そのため、複数のリモコンを備えた警備システムにおいて、侵入者が屋内に残されたリモコンを操作して警戒モードを解除することを防止できる技術が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、警備システムが提供される。この警備システムは、屋内の異常を検知できる異常検知部と、前記屋内に配され、前記異常検知部の稼動および停止を制御できる制御部と、前記制御部と通信できるとともに前記制御部に前記異常検知部の稼動および停止を指示できる指示部と、を備え、前記異常検知部は、人物が前記屋内に入った場合、あらかじめ設定された第１の設定時間を経過した後、前記人物による前記屋内での滞在を異常として検知し、前記指示部は、前記指示部における振動を検知する振動検知部を有し、前記振動検知部が振動を検知したのち、前記第１の設定時間より長い第２の設定時間が経過したときに満たされる第１の条件が満たされない場合、稼動している前記異常検知部を停止させるよう前記制御部に指示することができない。このような態様とすれば、第１の設定時間より長い第２の設定時間を要する第１の条件が満たされない場合、指示部を操作して、異常検知部の停止を指示することができない。そのため、侵入者が屋内に残された指示部を操作して異常検知部の停止を指示しようとした場合に、第１の設定時間より長い第２の設定時間経過することを要する第１の条件が満たされる前に、第１の設定時間が経過して異常検知部により侵入者は異常として検知される。その結果、侵入者が屋内に残された指示部を操作して異常検知部の停止を指示することを防止できる。
【０００７】
（２）上記の警備システムにおいて、前記第１の条件は、前記振動検知部が振動を検知してから前記第２の設定時間経過することであってもよい。このような態様とすれば、指示部は、振動検知部が振動を検知してから第２の設定時間を経過することに基づいて、稼動している異常検知部を停止させるよう制御部に指示することができるようになる。
【０００８】
（３）上記の警備システムにおいて、前記第１の条件は、前記第２の設定時間、前記振動検知部が継続して振動を検知することであってもよい。このような態様とすれば、指示部は、継続した振動に基づいて、稼動している異常検知部を停止させるよう制御部に指示することができるようになる。
【０００９】
（４）上記の警備システムにおいて、前記第１の条件は、前記第２の設定時間、前記振動検知部が継続して振動を検知することによって前記指示部が前記制御部へ出力した振動検知信号に対して出力される応答信号を、前記指示部が受信することを含んでもよい。このような態様とすれば、指示部は、継続した振動および応答信号に基づいて、稼動している異常検知部を停止させるよう制御部に指示することができるようになる。そのため、指示部が制御部と通信できない場合（通信状態が悪い場合もしくは制御部自体に異常がある場合など）、指示部は、稼動している異常検知部を停止させるよう制御部に指示することができるようにならない。その結果、上記の警備システムによる防犯性を向上させることができる。
【００１０】
（５）上記の警備システムにおいて、前記第１の条件は、前記第２の設定時間、前記振動検知部が継続して振動を検知することによって前記指示部が前記制御部へ出力した振動検知信号の強さが閾値を超えている場合に前記振動検知信号に対して出力される応答信号を、前記指示部が受信することを含んでもよい。このような態様とすれば、振動検知信号が閾値を超えていない場合、指示部を操作して、異常検知部の停止を指示することができない。そのため、第２の設定時間、振動検知部が継続して振動を検知することによって、指示部が制御部へ振動検知信号を出力しても、振動検知信号の強さが閾値を超えない程度に指示部が制御部から遠方にある場合には、指示部が稼動している異常検知部を停止させるよう制御部に指示することができるようになることを防止できる。例えば、警備システムが設置された家屋に住む居住者が指示部を携帯して外出した際に、外出先において、第２の設定時間、振動検知部が継続して振動を検知することによって、指示部が制御部へ振動検知信号を出力しても、指示部が稼動している異常検知部を停止させるよう制御部に指示することができるようになることを防止できる。
【００１１】
（６）上記の警備システムにおいて、前記第１の条件が満たされてから稼動している前記異常検知部を停止させるよう前記制御部に指示したのち、稼動している前記異常検知部を停止させるよう前記制御部に指示することができない状態に戻ってもよい。このような態様とすれば、第１の条件が満たされたことにより、稼動している異常検知部を停止させるよう制御部に指示することができるようになった指示部が、稼動している異常検知部を停止させるよう制御部に指示したのち、稼動している異常検知部を停止させるよう制御部に指示することができなくなる。そのため、指示部が、稼動している異常検知部を停止させるよう制御部に指示することができるようになったまま放置されることを防止できる。その結果、侵入者が屋内に残された指示部を操作して異常検知部の停止を指示することを防止できる。
【００１２】
（７）上記の警備システムにおいて、前記指示部は、前記第１の条件が満たされてから、あらかじめ設定された第３の設定時間を経過した際に前記振動検知部が振動を検知していない場合、稼動している前記異常検知部を停止させるよう前記制御部に指示することができない状態に戻ってもよい。このような態様とすれば、第１の条件が満たされたことにより、稼動している異常検知部を停止させるよう制御部に指示することができるようになった指示部は、第３の設定時間を経過した際に振動検知部が振動を検知していない場合、稼動している異常検知部を停止させるよう制御部に指示することができなくなる。そのため、指示部が、稼動している異常検知部を停止させるよう制御部に指示することができるようになったまま放置されることを防止できる。その結果、侵入者が屋内に残された指示部を操作して異常検知部の停止を指示することを防止できる。例えば、警備システムが設置された家屋に住む居住者が、稼動している異常検知部を停止させるよう制御部に指示することができるようになった指示部を携帯して帰宅した際に、その家屋に同居している他の居住者によって異常検知部が停止されていた場合、猶予時間としての第３の設定時間を経過した際に振動検知部が振動を検知していない場合、指示部は、稼動している異常検知部を停止させるよう制御部に指示することができなくなる。その結果、侵入者が屋内に残されたその指示部を操作して異常検知部の停止を指示することを防止できる。
【００１３】
（８）上記の警備システムにおいて、前記指示部は、さらに、前記指示部が停止している前記異常検知部を稼動させるよう前記制御部に指示してからあらかじめ設定された第４の設定時間を経過していないことである第２の条件が満たされない場合にも、稼動している前記異常検知部を停止させるよう前記制御部に指示することができなくてもよい。このような態様とすれば、警備システムが設置された家屋に住む居住者が外出する際に、指示部を用いて異常検知部の稼動を一旦指示したものの、忘れ物を取りに行く等の事情によりすぐに異常検知部を停止したい場合に、第４の設定時間を経過していなければ指示部を用いて異常検知部の停止を指示できる。
【００１４】
本発明の形態は、警備システムの形態に限るものではなく、例えば、警備システムを管理する管理装置の他、警備システムや管理装置の機能をコンピュータに実現させるためのプログラムなどの種々の形態に適用することも可能である。また、本発明は、前述の形態に何ら限定されるものではなく、本発明の趣旨を逸脱しない範囲内において様々な形態で実施し得ることは勿論である。
【図面の簡単な説明】
【００１５】
【図１】本実施形態における警備システムについて示した説明図である。
【図２】警備装置およびリモコンが実行するやり取りを示すフローである。
【図３】警備装置およびリモコンが実行するやり取りを示すフローである。
【図４】停止指示ができる状態から停止指示ができない状態にリモコンを切り替える切替処理を示すフローである。
【図５】警備装置およびリモコンが実行するやり取りを示すフローである。
【図６】警備装置およびリモコンが実行するやり取りを示すフローである。
【図７】他の実施形態におけるリモコンが実行するフローである。
【図８】他の実施形態において、停止指示ができる状態から停止指示ができない状態にリモコンを切り替える切替処理を示すフローである。
【図９】他の実施形態における警備装置およびリモコンが実行するやり取りを示すフローである。
【図１０】他の実施形態における警備装置およびリモコンが実行するやり取りを示すフローである。
【図１１】他の実施形態におけるリモコンが実行するフローである。
【発明を実施するための形態】
【００１６】
Ａ．第１実施形態：
図１は、本実施形態における警備システム１０について示した説明図である。警備システム１０は、住居等の家屋における屋内の異常を検出して報知などの対処を行う、いわゆるホームセキュリティシステムである。警備システム１０は、警備装置１００と、リモコン２００とを備える。本実施形態では、警備システム１０は、警備装置１００を住居等の家屋における屋内に設置する態様である。他の実施形態では、警備システム１０は、事業所および倉庫などに設置されていてもよい。
【００１７】
本実施形態では、屋内とは、警備装置１００が設置された住居の内側のことであり、屋外とは、警備装置１００が設置された住居における屋内の外側のことであり、その警備装置１００が設置された住居とは別の建物における屋内は、屋外に含まれる。他の実施形態では、警備装置１００が設置された住居における屋内とは、その住居が建てられた敷地内のことであり、屋外は、その敷地の外側のことであってもよい。
【００１８】
警備装置１００は、住居における屋内に設置され、その屋内において異常が発生していないかどうか警備する装置である。本実施形態でいう異常には、侵入者による屋内への不法な侵入、火災およびガス漏れが含まれる。警備装置１００は、警備制御部１１０と、通信部１２０と、異常検知部１３０とを備える。
【００１９】
警備制御部１１０は、屋内における異常を検知する各要素の稼動を全体として制御する。本実施形態では、警備制御部１１０は、異常検知部１３０の稼動および停止を制御する。本実施形態では、警備制御部１１０が制御する各要素には、窓の開閉を検出する窓開閉センサ、窓への振動によって窓の破壊を検出する窓破壊センサ、火災を検出する火災センサおよびガス漏れを検知するガス漏れセンサなどが含まれる。
【００２０】
通信部１２０は、警備装置１００がリモコン２００と通信するためのインタフェースである。本実施形態では、通信部１２０は、無線ＬＡＮを介して、リモコン２００と通信する。他の実施形態では、他の無線通信を用いてもよい。
【００２１】
異常検知部１３０は、ドアおよび窓の開閉センサにより屋内の異常を検知する。本実施形態では、異常検知部１３０は、人物が玄関などの入口から屋内に入った場合、設定時間を経過した後、その人物による屋内の滞在を異常として検知する。本実施形態では、設定時間は、ドアおよび窓の開閉から３分間である。他の実施形態では、設定時間は、ドアおよび窓の開閉から３分間より長くてもよいし、ドアおよび窓の開閉から３分間より短くてもよい。
【００２２】
リモコン２００は、警備装置１００と通信できるとともに警備装置１００に異常検知部１３０の稼動および停止を指示できる。本実施形態では、１台の警備装置１００に対して３台のリモコン２００が備えられている。他の実施形態では、１台の警備装置１００に対して３台より多いリモコン２００が備えられていてもよいし、３台より少ないリモコン２００が備えられていてもよい。リモコン２００は、制御部２１０と、通信部２２０と、入力部２３０と、状態表示部２４０と、振動検知部２５０とを備える。
【００２３】
制御部２１０は、リモコン２００を構成する各要素の稼動を全体として制御する。通信部２２０は、リモコン２００が警備装置１００と通信するためのインタフェースである。
【００２４】
入力部２３０は、押下可能に構成された問合ボタン部２３２と指示ボタン部２３４とを備える。本実施形態では、問合ボタン部２３２を押し下げられることによって、制御部２１０は、異常検知部１３０が稼動しているか停止しているかを警備装置１００へ問い合わせる信号を出力する。警備装置１００は、その信号を受信すると、異常検知部１３０が稼動しているか停止しているかを示す信号をリモコン２００へ出力する。本実施形態では、指示ボタン部２３４が押し下げられることによって、入力部２３０は、警備装置１００に異常検知部１３０の稼動および停止を指示することができる。
【００２５】
本実施形態では、入力部２３０において、問合ボタン部２３２と、指示ボタン部２３４とは、別のボタン部である。他の実施形態では、問合ボタン部２３２と、指示ボタン部２３４とは、同一のボタン部であってもよい。その場合、警備装置１００との通信内容に応じて、ボタン部の機能は切り換えられる態様である。
【００２６】
状態表示部２４０は、警備装置１００がリモコン２００へ出力する異常検知部１３０が稼動しているか停止しているかを示す信号に基づいて、異常検知部１３０の状態を表示する。本実施形態では、状態表示部２４０は、異常検知部１３０が稼動しているか停止しているかに基づいて発光するＬＥＤである。本実施形態では、状態表示部２４０は、異常検知部１３０が稼動している場合は赤色に、異常検知部１３０が停止している場合は緑色に発光する。
【００２７】
振動検知部２５０は、リモコン２００における振動を検知する。振動検知部２５０は、継続して振動を検知した場合、制御部２１０へ振動検知信号を出力する。本実施形態では、振動検知部２５０は、リモコン２００の振動が５分間継続した場合に、制御部２１０へ振動検知信号を出力する。他の実施形態では、リモコン２００の振動が５分間より短い時間継続した場合に、制御部２１０へ振動検知信号を出力してもよいし、リモコン２００の振動が５分間より長い時間継続した場合に、制御部２１０へ振動検知信号を出力してもよい。
【００２８】
本実施形態では、振動検知部２５０が５分間継続して振動を検知することによってリモコン２００が制御部２１０へ出力した振動検知信号に対して、警備装置１００から応答信号が出力される。
【００２９】
本実施形態では、振動検知部２５０が５分間継続して振動を検知することによってリモコン２００が制御部２１０へ出力した振動検知信号に対して、警備装置１００から出力される応答信号をリモコン２００が受信した場合、リモコン２００は、稼動している異常検知部１３０を停止させるよう警備装置１００に指示することができるようになる。
【００３０】
本実施形態では、また、振動検知部２５０が５分間継続して振動を検知していない場合、リモコン２００は、稼動している異常検知部１３０を停止させるよう警備装置１００に指示することができるようにならない。
【００３１】
このため、侵入者が屋内に残されたリモコン２００を操作して異常検知部１３０の停止を指示しようとした場合に、５分間継続した振動を検知することによって、リモコン２００が稼動している異常検知部１３０を停止させるよう警備装置１００に指示することができるようになる前に、異常検知部１３０は、３分間経過することによって侵入者を異常として検知することができる。
【００３２】
本実施形態では、振動検知信号に対する応答信号をリモコン２００が受信してから、リモコン２００が稼動している異常検知部１３０を停止させるよう警備装置１００に指示したのち、リモコン２００は、稼動している異常検知部１３０を停止させるよう警備装置１００に指示することができない状態に戻る。このため、リモコン２００が、稼動している異常検知部１３０を停止させるよう警備装置１００に指示することができるようになったまま放置されることを防止できる。
【００３３】
図２は、警備装置１００およびリモコン２００が実行するやり取りを示すフローである。図２におけるフローは、リモコン２００が屋外から屋内に移動している際の処理を示す。例えば、警備装置１００が設置された家屋に住む居住者が、リモコン２００を携帯して外出した先から帰宅する際の処理である。
【００３４】
リモコン２００における振動検知部２５０は、リモコン２００を携帯した人物が屋外において移動し始める際に振動の検知を開始し始める（ステップＳ１００）。リモコン２００を携帯した人物が玄関から屋内に入ったことによって、異常検知部１３０は、その人物による屋内の滞在を異常として検知するまでの設定時間である３分間の計測を開始する（ステップＳ１１０）。リモコン２００を携帯した人物が屋内に入ったのち、リモコン２００の振動が５分間継続したことによって、リモコン２００は、制御部２１０を介して、振動検知信号を警備装置１００に出力する（ステップＳ１２０）。警備装置１００は受信した振動検知信号に対して、応答信号を出力する（ステップＳ１３０）。リモコン２００は、応答信号を受信することにより稼動している異常検知部１３０を停止させるよう警備装置１００に指示することができるようになる（ステップＳ１３５）。
【００３５】
稼動している異常検知部１３０を停止させるよう警備装置１００に指示することができるようになった後（ステップＳ１３５）、リモコン２００は、指示ボタン部２３４を押し下げられることによって、警備装置１００に異常検知部１３０の停止を指示する（ステップＳ１４０）。異常検知部１３０の停止を指示された警備装置１００は、異常検知部１３０を停止させる（ステップＳ１４５）。異常検知部１３０を停止させた後（ステップＳ１４５）、警備装置１００は、異常検知部１３０が停止したことを示す信号をリモコン２００へ出力する（ステップＳ１５０）。
【００３６】
図２におけるフローでは、リモコン２００が屋内に移動したのち、リモコン２００の継続した振動が５分間を超えているが、リモコン２００が屋内に移動する前の屋外において、リモコン２００の継続した振動が５分間を超えても、リモコン２００は、稼動している異常検知部１３０を停止させるよう警備装置１００に指示することができるようになる。
【００３７】
図３は、警備装置１００およびリモコン２００が実行するやり取りを示すフローである。図３におけるフローは、屋内に残されたリモコン２００を操作して稼動している異常検知部１３０の停止を警備装置１００に指示しようとする際の処理を示す。例えば、侵入者が屋内に残されたリモコンを操作して異常検知部１３０を停止させようとする際の処理である。
【００３８】
侵入者が屋内に入ったことによって、異常検知部１３０は、その侵入者による屋内の滞在を異常として検知するまでの設定時間である３分間の計測を開始する（ステップＳ１６０）。屋内に残されたリモコン２００における振動検知部２５０は、侵入者がリモコン２００を持って操作しようとした際に、振動の検知を開始し始める（ステップＳ１７０）。振動の検知を開始した後（ステップＳ１７０）、リモコン２００は、侵入者によって指示ボタン部２３４を押し下げられることによって、警備装置１００に異常検知部１３０の停止を指示しようとする。しかし、振動検知部２５０が５分間継続して振動を検知していないため、リモコン２００は、稼動している異常検知部１３０を停止させるよう警備装置１００に指示することができるようになっていない。そのため、リモコン２００は、稼動している異常検知部１３０の停止を警備装置１００に指示することができない（ステップＳ１８０）。異常検知部１３０の停止を指示されない警備装置１００は、侵入者が屋内に滞在している時間が３分間を経過すると、その侵入者による屋内の滞在を異常として検知する（ステップＳ１８５）。このため、侵入者が屋内に残されたリモコン２００を操作して異常検知部１３０の停止を指示することを防止できる。
【００３９】
図４は、リモコン２００が実行する、稼動している異常検知部１３０の停止を警備装置１００に指示する停止指示ができる状態を、停止指示ができない状態に切り替える切替処理を示すフローである。図４におけるフローは、振動検知部２５０が５分間継続して振動を検知したことによって、稼動している異常検知部１３０を停止させるよう警備装置１００に指示することができるようになったリモコン２００が、稼動している異常検知部１３０を停止させるよう警備装置１００に指示した際の処理である。
【００４０】
振動検知部２５０が５分間継続して振動を検知したことによって、稼動している異常検知部１３０を停止させるよう警備装置１００に指示することができるようになったリモコン２００は、指示ボタン部２３４を押し下げられることによって、警備装置１００に異常検知部１３０の停止を指示する（ステップＳ２００）。異常検知部１３０の停止を指示された警備装置１００は、異常検知部１３０を停止させる（ステップＳ２０５）。異常検知部１３０を停止させた後（ステップＳ２０５）、リモコン２００は、稼動している異常検知部１３０を停止させるよう警備装置１００に指示することができない状態に戻る（ステップＳ２１０）。このため、リモコン２００が、稼動している異常検知部１３０を停止させるよう警備装置１００に指示することができるようになったまま放置されることを防止できる。
【００４１】
図５は、警備装置１００およびリモコン２００が実行するやり取りを示すフローである。図５におけるフローは、リモコン２００が、停止している異常検知部１３０の稼動を警備装置１００に指示してから５分間経過する前に、稼動している異常検知部１３０の停止をリモコン２００が警備装置１００に再度指示する際の処理を示す。例えば、警備装置１００が設置された家屋に住む居住者が外出する際に、リモコン２００を用いて異常検知部１３０の稼動を一旦指示したものの、忘れ物を取りに行く等の事情によりすぐに異常検知部１３０を停止する場合の処理である。
【００４２】
リモコン２００は、指示ボタン部２３４を押し下げられることによって、警備装置１００に異常検知部１３０の稼動を指示する（ステップＳ３００）。異常検知部１３０の稼動を指示された警備装置１００は、異常検知部１３０を稼動させる（ステップＳ３０５）。異常検知部１３０を稼動させた後（ステップＳ３０５）、警備装置１００は、異常検知部１３０が稼動したことを示す信号をリモコン２００へ出力する（ステップＳ３１０）。
【００４３】
異常検知部１３０が稼動したことを示す信号を受信した後（ステップＳ３１０）、異常検知部１３０の稼動を警備装置１００に指示してから５分間経過する前に、リモコン２００は、指示ボタン部２３４を押し下げられることによって、リモコン２００が稼動している異常検知部１３０の停止を警備装置１００に再度指示する（ステップＳ３２０）。異常検知部１３０の停止を指示された警備装置１００は、異常検知部１３０を停止させる（ステップＳ３２５）。異常検知部１３０を停止させた後（ステップＳ３２５）、警備装置１００は、異常検知部１３０が停止したことを示す信号をリモコン２００へ出力する（ステップＳ３３０）。
【００４４】
このため、警備システム１０が設置された家屋に住む居住者が外出する際に、リモコン２００を用いて異常検知部１３０の稼動を一旦指示したものの、忘れ物を取りに行く等の事情によりすぐに異常検知部１３０を停止したい場合に、５分間を経過してなければリモコン２００を用いて異常検知部１３０の停止を指示できる。よって、居住者は、異常検知部１３０に検知されることなく忘れ物を持ち出すことができる。
【００４５】
図６は、警備装置１００およびリモコン２００が実行するやり取りを示すフローである。図６におけるフローは、リモコン２００が、停止している異常検知部１３０の稼動を警備装置１００に指示してから５分間経過したのちに、稼動している異常検知部１３０の停止をリモコン２００が警備装置１００に再度指示しようとする際の処理を示す。
【００４６】
リモコン２００は、指示ボタン部２３４を押し下げられることによって、警備装置１００に異常検知部１３０の稼動を指示する（ステップＳ３４０）。異常検知部１３０の稼動を指示された警備装置１００は、異常検知部１３０を稼動させる（ステップＳ３４５）。異常検知部１３０を稼動させた後（ステップＳ３４５）、警備装置１００は、異常検知部１３０が稼動したことを示す信号をリモコン２００へ出力する（ステップＳ３５０）。
【００４７】
異常検知部１３０が稼動したことを示す信号を受信した後（ステップＳ３５０）、異常検知部１３０の稼動を警備装置１００に指示してから５分間経過した後に、リモコン２００は、指示ボタン部２３４を押し下げられることによって、リモコン２００が稼動している異常検知部１３０の停止を警備装置１００に再度指示しようとする。しかし、異常検知部１３０の稼動を警備装置１００に指示してから５分間経過しているため、リモコン２００は、稼動している異常検知部１３０の停止を警備装置１００に指示することができない（ステップＳ３６０）。異常検知部１３０の停止を指示されない警備装置１００は、異常検知部１３０を稼動させたままにする（ステップＳ３６５）。
【００４８】
図６におけるフローでは、異常検知部１３０の稼動を警備装置１００に指示してから５分間経過した後に、稼動している異常検知部１３０の停止を警備装置１００に再度指示することはできないとしたが、稼動している異常検知部１３０を停止させるよう警備装置１００に指示することができない状態になってから、振動検知部２５０が５分間継続して振動を検知した場合、リモコン２００は、稼動している異常検知部１３０を停止させるよう警備装置１００に再び指示することができる。
【００４９】
以上説明した実施形態によれば、侵入者が屋内に残されたリモコン２００を操作して異常検知部１３０の停止を指示しようとした場合に、５分間継続した振動を要する第１の条件が満たされることによって、リモコン２００が稼動している異常検知部１３０を停止させるよう警備装置１００に指示することができるようになる前に、異常検知部１３０は、３分間経過することによって侵入者を異常として検知することができる。その結果、侵入者が屋内に残されたリモコン２００を操作して異常検知部１３０の停止を指示することを防止できる。一方、居住者がリモコン２００を携帯して帰宅した際、リモコン２００を用いて、稼動している異常検知部１３０を停止させるよう警備装置１００に指示することができる。
【００５０】
また、リモコン２００が警備装置１００と通信できない場合（通信状態が悪い場合もしくは制御部自体に異常がある場合など）、リモコン２００は、稼動している異常検知部１３０を停止させるよう警備装置１００に指示することができるようにならない。その結果、警備システム１０による防犯性を向上させることができる。
【００５１】
Ｂ．第２実施形態：
図７は、他の実施形態である警備システム１０ａにおけるリモコン２００が実行するフローである。警備システム１０ａは、上述の実施形態における警備システム１０の構成と同様であるが、以下の処理を行う点で、警備システム１０と異なる。
【００５２】
すなわち、警備システム１０ａにおけるリモコン２００は、振動検知部２５０が５分間継続して振動を検知することによって、応答信号を受信せずとも稼動している異常検知部１３０を停止させるよう警備装置１００に指示することができるようになる。図７におけるフローは、振動検知部２５０が５分間継続して振動を検知した際の処理である。
【００５３】
リモコン２００における振動検知部２５０は、リモコン２００を携帯した人物が移動することによって振動の検知を開始し始める（ステップＳ４００）。リモコン２００の振動が５分間継続したことによって、稼動している異常検知部１３０を停止させるよう警備装置１００に指示することができるようになる（ステップＳ４１０）。このため、リモコン２００は、継続した振動に基づいて、稼動している異常検知部１３０を停止させるよう警備装置１００に指示することができるようになる。
【００５４】
Ｃ．第３実施形態：
図８は、他の実施形態である警備システム１０ｂにおけるリモコン２００が実行する、稼動している異常検知部１３０の停止を警備装置１００に指示する停止指示ができる状態を、停止指示ができない状態に切り替える切替処理を示すフローである。警備システム１０ｂは、上述の実施形態における警備システム１０の構成と同様であるが、以下の処理を行う点で、警備システム１０と異なる。
【００５５】
すなわち、警備システム１０ｂにおけるリモコン２００は、振動検知部２５０が５分間継続して振動を検知したことによって、稼動している異常検知部１３０を停止させるよう警備装置１００に指示することができるようになってから、１０分間を経過した際に振動検知部２５０が振動を検知していない場合、稼動している異常検知部１３０を停止させるよう警備装置１００に指示することができない状態に戻る。
【００５６】
図８におけるフローは、振動検知部２５０が５分間継続して振動を検知したことによって、リモコン２００が稼動している異常検知部１３０を停止させるよう警備装置１００に指示することができるようになってから１０分間を経過した際に振動検知部２５０が振動を検知していない場合の処理である。
【００５７】
振動検知部２５０が５分間継続して振動を検知したことによって、停止指示ができるようになったリモコン２００は、停止指示ができない状態に戻るまでの設定時間である１０分間の計測を開始する（ステップＳ２２０）。リモコン２００が停止指示を行わないまま１０分間を経過した際に振動検知部２５０が振動を検知していないため、リモコン２００は停止指示ができない状態に戻る（ステップＳ２３０）。このため、リモコン２００が、稼動している異常検知部１３０を停止させるよう警備装置１００に指示することができるようになったまま放置されることを防止できる。その結果、侵入者が屋内に残されたリモコン２００を操作して異常検知部１３０の停止を指示することを防止できる。
【００５８】
なお、リモコン２００が停止指示を行わないまま１０分間を経過した際に振動検知部２５０が振動を検知していた場合、リモコン２００は、稼動している異常検知部１３０を停止させるよう警備装置１００に指示することができるようになった状態を維持する。その後、停止指示ができない状態に戻るまでの設定時間である１０分間の計測を再び開始する。
【００５９】
Ｄ．第４実施形態：
図９は、他の実施形態である警備システム１０ｃにおける警備装置１００およびリモコン２００が実行するやり取りを示すフローである。警備システム１０ｃは、上述の実施形態における警備システム１０の構成と同様であるが、以下の処理を行う点で、警備システム１０と異なる。
【００６０】
すなわち、警備システム１０ｃにおいて、振動検知部２５０が５分間継続して振動を検知することによってリモコン２００が制御部２１０へ出力した振動検知信号の強さが閾値を超えている場合に警備装置１００から出力される応答信号を、リモコン２００が受信することによって、リモコン２００は、稼動している異常検知部１３０を停止させるよう警備装置１００に指示することができるようになる。
【００６１】
警備システム１０ｃにおいて、「振動検知信号の強さが閾値を超えている場合」とは、振動検知信号が、屋内から出力されたものである場合である。振動検知信号の強さが閾値を超えていない場合とは、振動検知信号が、屋外から出力されたものである場合である。
【００６２】
図９におけるフローは、リモコン２００が屋外から屋内に移動している際の処理を示す。例えば、警備装置１００が設置された家屋に住む居住者が、リモコン２００を携帯して外出した先から帰宅する際の処理である。
【００６３】
リモコン２００における振動検知部２５０は、リモコン２００を携帯した人物が屋外において移動し始める際に振動の検知を開始し始める（ステップＳ５００）。リモコン２００を携帯した人物が屋内に入ったことによって、異常検知部１３０は、その人物による屋内の滞在を異常として検知するまでの設定時間である３分間の計測を開始する（ステップＳ５１０）。リモコン２００を携帯した人物が屋内に入ったのち、リモコン２００の振動が５分間継続したことによって、リモコン２００は、制御部２１０を介して、振動検知信号を警備装置１００に出力する（ステップＳ５２０）。警備装置１００が受信した振動停止信号の強さが閾値を超えているため（ステップＳ５２５）、警備装置１００はリモコン２００へ応答信号を出力する（ステップＳ５３０）。リモコン２００は、応答信号を受信することにより稼動している異常検知部１３０を停止させるよう警備装置１００に指示することができるようになる（ステップＳ５３５）。
【００６４】
稼動している異常検知部１３０を停止させるよう警備装置１００に指示することができるようになった後（ステップＳ５３５）、リモコン２００は、指示ボタン部２３４を押し下げられることによって、警備装置１００に異常検知部１３０の停止を指示する（ステップＳ５４０）。異常検知部１３０の停止を指示された警備装置１００は、異常検知部１３０を停止させる（ステップＳ５４５）。異常検知部１３０を停止させた後（ステップＳ５４５）、警備装置１００は、異常検知部１３０が停止したことを示す信号をリモコン２００へ出力する（ステップＳ５５０）。
【００６５】
警備システム１０ｃは、図９において説明したやり取りを警備装置１００と行うため、振動検知部２５０が継続して振動を検知することによって、リモコン２００が警備装置１００へ振動検知信号を出力しても、振動検知信号の強さが閾値を超えない程度にリモコン２００が警備装置１００から遠方にある場合には、リモコン２００が稼動している異常検知部１３０を停止させるよう警備装置１００に指示することができるようになることを防止できる。
【００６６】
図１０は、他の実施形態である警備システム１０ｃにおける警備装置１００およびリモコン２００が実行するやり取りを示すフローである。図１０におけるフローは、リモコン２００が屋外を移動している際の処理を示す。例えば、警備装置１００が設置された家屋に住む居住者が、リモコン２００を携帯して外出先で移動している際の処理である。
【００６７】
リモコン２００における振動検知部２５０は、リモコン２００を携帯した人物が外出先で移動し始める際に振動の検知を開始し始める（ステップＳ５６０）。リモコン２００の振動が５分間継続したことによって、リモコン２００は、制御部２１０を介して、振動検知信号を警備装置１００に出力する（ステップＳ５７０）。警備装置１００が受信した振動停止信号の強さが閾値を超えていないため（ステップＳ５７５）、振動検知信号の受信後、警備装置１００はリモコン２００へ応答信号を出力しない（ステップＳ５８０）。リモコン２００は、応答信号を受信しないため、稼動している異常検知部１３０を停止させるよう警備装置１００に指示することができるようにならない（ステップＳ５８５）。
【００６８】
Ｅ．第５実施形態：
図１１は、他の実施形態である警備システム１０ｄにおけるリモコン２００が実行するフローである。警備システム１０ｄは、上述の実施形態における警備システム１０の構成と同様である。以下の処理を行う点で、警備システム１０と異なる。
【００６９】
すなわち、第１実施形態における警備システム１０では、振動検知部２５０が５分間継続して振動を検知することによって、リモコン２００は、稼動している異常検知部１３０を停止させるよう警備装置１００に指示することができるようになる。それに対して警備システム１０ｄでは、振動検知部２５０が振動を検知してから５分間経過することによって、リモコン２００は、稼動している異常検知部１３０を停止させるよう警備装置１００に指示することができるようになる。警備システム１０ｄにおける他の処理は、警備システム１０と同様である。図１１におけるフローは、振動検知部２５０が振動を検知した際の処理である。
【００７０】
リモコン２００における振動検知部２５０は、リモコン２００を携帯した人物が移動することによって振動を検知する（ステップＳ６００）。振動検知部２５０が振動を検知してから５分間経過することによって、稼動している異常検知部１３０を停止させるよう警備装置１００に指示することができるようになる（ステップＳ６１０）。また、振動検知部２５０が振動を検知してから５分間経過するまでは、リモコン２００は、稼動している異常検知部１３０を停止させるよう警備装置１００に指示することができるようにならない。このため、リモコン２００は、振動検知部２５０が振動を検知してから所定の時間を経過することに基づいて、稼動している異常検知部１３０を停止させるよう警備装置１００に指示することができるようになる。
【００７１】
このような態様としても、第１の設定時間より長い第２の設定時間を要する第１の条件が満たされない場合、指示部を操作して、異常検知部の停止を指示することができない。そのため、侵入者が屋内に残された指示部を操作して異常検知部の停止を指示しようとした場合に、第１の設定時間より長い第２の設定時間経過することを要する第１の条件が満たされる前に、第１の設定時間が経過して異常検知部により侵入者は異常として検知される。その結果、侵入者が屋内に残された指示部を操作して異常検知部の停止を指示することを防止できる。
【００７２】
Ｆ．変形例：
上記実施形態の警備システム１０では、振動検知信号に対する応答信号をリモコン２００が受信してから、リモコン２００が稼動している異常検知部１３０を停止させるよう警備装置１００に指示したのち、リモコン２００は、稼動している異常検知部１３０を停止させるよう警備装置１００に指示することができない状態に戻るとしていたが、本発明はこれに限られない。例えば、振動検知信号に対する応答信号をリモコン２００が受信してから、リモコン２００が稼動している異常検知部１３０を停止させるよう警備装置１００に指示したのち、警備装置１００から出力される異常検知部１３０が停止したことを示す信号をリモコン２００が受信したことによって、リモコン２００は、稼動している異常検知部１３０を停止させるよう警備装置１００に指示することができない状態に戻ってもよい。
【００７３】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【符号の説明】
【００７４】
１０…警備システム
１０ａ…警備システム
１０ｂ…警備システム
１０ｃ…警備システム
１０ｄ…警備システム
１００…警備装置
１１０…警備制御部
１２０…通信部
１３０…異常検知部
２００…リモコン
２１０…制御部
２２０…通信部
２３０…入力部
２３２…問合ボタン部
２３４…指示ボタン部
２４０…状態表示部
２５０…振動検知部
【図１】
0006592942.tif 000002
【図２】
0006592942.tif 000003
【図３】
0006592942.tif 000004
【図４】
0006592942.tif 000005
【図５】
0006592942.tif 000006
【図６】
0006592942.tif 000007
【図７】
0006592942.tif 000008
【図８】
0006592942.tif 000009
【図９】
0006592942.tif 000010
【図１０】
0006592942.tif 000011
【図１１】
0006592942.tif 000012